(57)【特許請求の範囲】
【請求項１】
伝送レートを識別するための情報をサービスインフォメーションに含み、第１の伝送レートによって放送で伝送されるトランスポートストリーム及び伝送レートを識別するための情報をサービスインフォメーションに含み、上記第１の伝送レートより高い第２の伝送レートによって放送で伝送されるトランスポートストリームを取得する手段と、
取得したトランスポートストリームをデコードする復号化手段と、
上記第１の伝送レートによって伝送されるトランスポートストリームを記録できる第１の記録レート又は上記第２の伝送レートよって伝送されるトランスポートストリームを記録できる第２の記録レートを設定できる記録再生装置と互いにトランスポートストリーム及びコマンドをやり取りするためのインターフェース手段と、
上記サービスインフォメーションに含まれる上記トランスポートストリームの伝送レートを識別するための情報により、取得するトランスポートストリームの伝送レートが上記第１の伝送レートであるか上記第２の伝送レートであるかを判断する手段と、
上記判断手段の判断結果から、上記記録再生装置に対して、転送するトランスポートストリームの伝送レートが上記第１の伝送レートであるか上記第２の伝送レートであるかに応じた記録レートの設定コマンドを発生させる手段と
を備え、
上記記録再生装置に対して記録コマンドを送信する前に、上記記録再生装置に対して上記記録レートの設定コマンドを送信し、上記記録レートの設定コマンドにより上記記録再生装置の記録レートを設定する情報処理装置。
【請求項２】
受信チャンネルが切り換えられるときに、上記サービスインフォメーションに含まれる上記トランスポートストリームの伝送レートを識別するための情報により、取得するトランスポートストリームの伝送レートが上記第１の伝送レートであるか上記第２の伝送レートであるかを判断するようにした請求項１に記載の情報処理装置。
【請求項３】
番組が変化するときに、上記サービスインフォメーションに含まれる上記トランスポートストリームの伝送レートを識別するための情報により、取得するトランスポートストリームの伝送レートが上記第１の伝送レートであるか上記第２の伝送レートであるかを判断するようにした請求項１に記載の情報処理装置。
【請求項４】
所定周期毎に、上記サービスインフォメーションに含まれる上記トランスポートストリームの伝送レートを識別するための情報により、取得するトランスポートストリームの伝送レートが上記第１の伝送レートであるか上記第２の伝送レートであるかを判断するようにした請求項１に記載の情報処理装置。
【請求項５】
記録レート設定の要求コマンドを受け取ったときに、上記サービスインフォメーションに含まれる上記トランスポートストリームの伝送レートを識別するための情報により、取得するトランスポートストリームの伝送レートが上記第１の伝送レートであるか上記第２の伝送レートであるかを判断するようにした請求項１に記載の情報処理装置。
【請求項６】
伝送レートを識別するための情報をサービスインフォメーションに含み、第１の伝送レートによって放送で伝送されるトランスポートストリーム及び伝送レートを識別するための情報をサービスインフォメーションに含み、上記第１の伝送レートより高い第２の伝送レートによって放送で伝送されるトランスポートストリームを取得する手段と、
取得したトランスポートストリームをデコードする復号化手段と、
記録再生装置と互いにトランスポートストリーム及びコマンドをやり取りするためのインターフェース手段と、
上記サービスインフォメーションに含まれる上記トランスポートストリームの伝送レートを識別するための情報により、取得するトランスポートストリームの伝送レートが上記第１の伝送レートであるか上記第２の伝送レートであるかを判断する手段と、
上記判断手段の判断結果から、上記記録再生装置に対して、転送するトランスポートストリームの伝送レートが上記第１の伝送レートであるか上記第２の伝送レートであるかに応じた記録レートの設定コマンドを発生させる手段と
を備える情報処理装置と、
上記インターフェース手段を介して接続され、上記第１の伝送レートによって伝送されるトランスポートストリームを記録できる第１の記録レート又は上記第２の伝送レートよって伝送されるトランスポートストリームを記録できる第２の記録レートを設定できる記録再生装置と
からなり、
上記情報処理装置は、上記記録再生装置に対して記録コマンドを送信する前に、上記記録再生装置に対して上記記録レートの設定コマンドを送信し、
上記記録再生装置は、上記記録レートの設定コマンドにより記録レートが設定される
ようにした情報処理システム。
【請求項７】
上記記録再生装置は、記録ボタンが押されたときに、記録レート設定の要求コマンドを発生する手段を更に備える請求項６に記載の情報処理システム。
【請求項８】
伝送レートを識別するための情報をサービスインフォメーションに含み、第１の伝送レートによって放送で伝送されるトランスポートストリーム及び伝送レートを識別するための情報をサービスインフォメーションに含み、上記第１の伝送レートより高い第２の伝送レートによって放送で伝送されるトランスポートストリームを取得し、デコードする情報処理装置と、
上記第１の伝送レートによって伝送されるトランスポートストリームを記録できる第１の記録レート又は上記第２の伝送レートよって伝送されるトランスポートストリームを記録できる第２の記録レートを設定できる記録再生装置と
を互いにトランスポートストリーム及びコマンドをやり取りするためのインターフェース手段を介して接続し、
上記情報処理装置は、上記サービスインフォメーションに含まれる上記トランスポートストリームの伝送レートを識別するための情報により、取得するトランスポートストリームの伝送レートが上記第１の伝送レートであるか上記第２の伝送レートであるかを判断し、
上記判断結果から、上記記録再生装置に対して、転送するトランスポートストリームの伝送レートが上記第１の伝送レートであるか上記第２の伝送レートであるかに応じた記録レートの設定コマンドを発生させ、
上記記録再生装置に対して記録コマンドを送信する前に、上記記録再生装置に対して上記記録レートの設定コマンドを送信し、上記記録レートの設定コマンドにより上記記録再生装置の記録レートを設定する
ようにした情報処理方法。
【請求項９】
上記情報処理装置は、受信チャンネルが切り換えられるときに、上記サービスインフォメーションに含まれる上記トランスポートストリームの伝送レートを識別するための情報により、取得するトランスポートストリームの伝送レートが上記第１の伝送レートであるか上記第２の伝送レートであるかを判断するようにした請求項８に記載の情報処理方法。
【請求項１０】
上記情報処理装置は、番組が変化するときに、上記サービスインフォメーションに含まれる上記トランスポートストリームの伝送レートを識別するための情報により、取得するトランスポートストリームの伝送レートが上記第１の伝送レートであるか上記第２の伝送レートであるかを判断するようにした請求項８に記載の情報処理方法。
【請求項１１】
上記情報処理装置は、所定周期毎に、上記サービスインフォメーションに含まれる上記トランスポートストリームの伝送レートを識別するための情報により、取得するトランスポートストリームの伝送レートが上記第１の伝送レートであるか上記第２の伝送レートであるかを判断するようにした請求項８に記載の情報処理方法。
【請求項１２】
上記記録再生装置は、記録ボタンが押されたときに、上記情報処理装置に対して、記録レート設定の要求コマンドを発生し、
上記情報処理装置は、上記要求コマンドを上記記録再生装置から受け取ったときに、上記サービスインフォメーションに含まれる上記トランスポートストリームの伝送レートを識別するための情報により、取得するトランスポートストリームの伝送レートが上記第１の伝送レートであるか上記第２の伝送レートであるかを判断するようにした請求項８に記載の情報処理方法。
【発明の詳細な説明】
【０００１】
【発明の属する技術分野】
この発明は、例えば、映像データ及びオーディオデータがＭＰＥＧ（Ｍｏｖｉｎｇ Ｐｉｃｔｕｒｅ Ｅｘｐｅｒｔｓ Ｇｒｏｕｐ）２方式のトランスポートストリームで放送される信号を受信し、このトランスポートストリームをディジタルビデオテープのような記録媒体に記録／再生するようなディジタル衛星放送システムに用いて好適な情報処理装置、情報処理システム及び情報処理方法に関する。
【０００２】
【従来の技術】
近年、ディジタル衛星放送が普及し初めている。ディジタル衛星放送では、ディジタル映像データ及びディジタルオーディオデータが圧縮されてパケット化され、ＭＰＥＧ２方式のトランスポートストリームにより伝送される。このようなディジタル衛星放送を受信する際には、テレビジョン受像機にＩＲＤ（Integrated Receiver Decoder ）と呼ばれるディジタル衛星放送の受信用のデコーダが接続される。パラボラアンテナで受信されたディジタル衛星放送の信号は、ＩＲＤで、ＭＰＥＧ２のトランスポートストリームが復調され、このＭＰＥＧ２のトランスポートストリームから、所望のプログラムの映像パケット及び音声パケットが抽出され、この映像及び音声パケットからビデオ信号及びオーディオがデコードされる。このビデオ信号及びオーディオ信号がＩＲＤからテレビジョン受像機に供給される。
【０００３】
このようなディジタル衛星放送を受信するためのＩＲＤに、ＩＥＥＥ１３９４のディジタルインターフェースを設けることが提案されている。ＩＥＥＥ１３９４は、アイソクロナス（Isochronous ）転送モードと、アシンクロナス（Asynchronous）転送モードとがサポートされている。アイソクロナス転送モードでは送信の遅延時間が補償されており、ビデオデータやオーディオデータのような時間的に連続するデータストリームを高速転送するのに用いて好適である。アシンクロナス転送モードは、相手先のノードに確実にデータを送信することが保証されており、コマンド等のデータを確実に転送するのに用いて好適である。
【０００４】
ＩＲＤに、ＩＥＥＥ１３９４のディジタルインターフェースを設けると、ＩＲＤと記録／再生装置等を接続して、ディジタル衛星放送の受信及び記録／再生システムを構築できる。そして、このようなシステムを構築すると、ディジタル衛星放送で送られてきたＭＰＥＧ２のトランスポートストリームをそのまま記録／再生することが可能になる。
【０００５】
すなわち、記録時には、ＩＲＤ側で受信されたＭＰＥＧ２のトランスポートストリームは、ＩＥＥＥ１３９４のディジタルインターフェースを介して、記録／再生装置に送られる。そして、このＭＰＥＧ２のトランスポートストリームがそのまま記録／再生装置により記録媒体に記録される。そして、再生時には、記録媒体からＭＰＥＧ２のトランスポートが再生され、この再生されたＭＰＥＧのトランスポートストリームがＩＥＥＥ１３９４のディジタルインターフェースを介して、ＩＲＤに送られる。ＩＲＤで、このＭＰＥＧのトランスポートストリームがデコードされる。
【０００６】
このように、ＩＲＤにＩＥＥＥ１３９４のディジタルインターフェースを設け、ＩＲＤと記録／再生装置とを接続してディジタル衛星放送の受信及び記録／再生システムを構築する際、記録／再生装置として、従来のアナログ方式と互換性を有するビデオカセットを用いたディジタルビデオカセット記録／再生装置を使用することが考えられている。このようなディジタルビデオカセット記録／再生装置では、１４．１Ｍｂｐｓの記録レートでストリームを記録することができる。アスペクト比が３：４で走査線数が５２５本のＮＴＳＣ方式に基づくＳＤＴＶ（Standard Definition TV）のストリームの場合には、伝送レートが例えば８Ｍｂｐｓなので、このようなディジタルビデオカセット記録／再生装置を使うと、ＳＤＴＶのトランスポートストリームをそのまま記録できる。
【０００７】
ところが、今後、開発されるディジタル衛星放送では、ＳＤＴＶ放送ばかりでなく、ＨＤＴＶ（High Definition TV）放送を行なうことが計画されている。ＨＤＴＶ放送は、アスペクト比が１６：９で走査線数が１１２５本の高品位テレビジョンに基づく放送であり、その伝送レートは例えば２４Ｍｂｐｓである。このため、上述の例えば１４．１Ｍｂｐｓの記録レートのディジタルビデオカセット記録／再生装置では、ＨＤＴＶ方式で送られてきたＭＰＥＧ２のストリームをそのまま記録することができない。
【０００８】
そこで、このようなディジタルビデオカセット記録／再生装置でＨＤＴＶのトランスポートストリームを記録／再生する場合には、記録／再生装置のモードが高速の記録レートのものに切り換えられる。
【０００９】
つまり、このようなディジタルビデオカセット記録／再生装置の記録レートは、上述のように、１４．１Ｍｂｐｓである。このようなディジタルビデオカセット記録／再生装置では記録時間を半分にすれば、２倍のデータ量を記録できることになり、記録レートは２８．２Ｍｂｐｓとなる。ＨＤＴＶのストリームの伝送レートは例えば２４Ｍｂｐｓなので、記録レートを２８．２Ｍｂｐｓとすれば、ＨＤＴＶのストリームを十分に記録できる。
【００１０】
なお、標準となる１４．１Ｍｂｐｓの記録モードはＳＴＤモードと呼ばれ、その記録時間を半分にして記録レートを２８．２Ｍｂｐｓに向上した記録モードはＨＳモードと呼ばれている。
【００１１】
【発明が解決しようとする課題】
このように、標準の記録モードであるＳＴＤモードの他に、記録レートを２倍にしたＨＳモードが設定可能であれば、アスペクト比が４：３で走査線数が５２５本のＳＤＴＶのストリームも、アスペクト比１６：９で走査線数が１１２５本のＨＤＴＶのストリームも、記録可能ではある。すなわち、このようなシステムにおいて、ＩＲＤからの信号をディジタルビデオカセット記録／再生装置で記録する場合に、記録しようとする放送がＳＤＴＶならＳＴＤモードに設定し、記録しようとする放送がＨＤＴＶならＨＳモードに設定するようにすれば良い。
【００１２】
このように、記録しようとする放送がＳＤＴＶかＨＤＴＶかに応じて、ディジタルビデオカセット記録／再生装置の記録モードを設定するようにした場合、この記録モードの設定は、ディジタルビデオカセット記録／再生装置が記録状態になる前に、必ず正しく設定しておく必要がある。
【００１３】
ところが、ＩＲＤと、ＳＴＤモードとＨＳモードとが設定可能なディジタルビデオカセット記録／再生装置とを接続した従来のシステムでは、正しい記録モードに設定されているか否かにかかわらず、記録が開始されてしまうというようなことが起こり得る。
【００１４】
つまり、ＩＲＤとディジタルビデオカセット記録／再生装置とをＩＥＥＥ１３９４で接続したようなシステムでは、ＩＲＤからのコマンドにより、ディジタルビデオカセット記録／再生装置のモードを設定することができる。このようなコマンドがＩＲＤから発行されると、ディジタルビデオカセット記録／再生装置側では、伝送されているストリームの伝送レートに応じた記録モードに設定されているか否かとは無関係に、記録状態に設定されてしまう。
【００１５】
また、このようなシステムでは、ディジタルビデオカセット記録／再生装置の記録ボタンが押されると、ディジタルビデオカセット記録／再生装置側では、伝送されているストリームの伝送レートに応じた記録モードに設定されているか否かとは無関係に、記録状態に設定されてしまう。
【００１６】
このように、従来のシステムでは、正しい記録モードに設定されていない状態で、記録が開始されてしまうというようなことが起こり得る。したがって、記録しようとしている放送がＳＤＴＶなのに対して、ディジタルビデオカセット記録／再生装置の記録モードがＨＳモードに設定され、記録効率に無駄が生じたり、記録しようとしている放送がＨＤＴＶなのに対して、ディジタルビデオカセット記録／再生装置の記録モードがＳＴＤモードに設定され、ビット溢れを起こし、正しいデータが記録できないようなことがあり得る。
【００１７】
したがって、この発明の目的は、受信装置からのストリームを記録／再生装置に記録させる場合に、記録／再生装置で記録が開始される前に、必ず、ストリームの伝送レートに応じた最適な記録モードに設定できるようにした情報処理装置、情報処理システム及び情報処理方法を提供することにある。
【００１８】
【課題を解決するための手段】
この発明は、伝送レートを識別するための情報をサービスインフォメーションに含み、第１の伝送レートによって放送で伝送されるトランスポートストリーム及び伝送レートを識別するための情報をサービスインフォメーションに含み、第１の伝送レートより高い第２の伝送レートによって放送で伝送されるトランスポートストリームを取得する手段と、
取得したトランスポートストリームをデコードする復号化手段と、
第１の伝送レートによって伝送されるトランスポートストリームを記録できる第１の記録レート又は第２の伝送レートよって伝送されるトランスポートストリームを記録できる第２の記録レートを設定できる記録再生装置と互いにトランスポートストリーム及びコマンドをやり取りするためのインターフェース手段と、
サービスインフォメーションに含まれるトランスポートストリームの伝送レートを識別するための情報により、取得するトランスポートストリームの伝送レートが第１の伝送レートであるか第２の伝送レートであるかを判断する手段と、
判断手段の判断結果から、記録再生装置に対して、転送するトランスポートストリームの伝送レートが第１の伝送レートであるか第２の伝送レートであるかに応じた記録レートの設定コマンドを発生させる手段と
を備え、
記録再生装置に対して記録コマンドを送信する前に、記録再生装置に対して記録レートの設定コマンドを送信し、記録レートの設定コマンドにより記録再生装置の記録レートを設定する情報処理装置である。
【００１９】
この発明は、伝送レートを識別するための情報をサービスインフォメーションに含み、第１の伝送レートによって放送で伝送されるトランスポートストリーム及び伝送レートを識別するための情報をサービスインフォメーションに含み、第１の伝送レートより高い第２の伝送レートによって放送で伝送されるトランスポートストリームを取得する手段と、
取得したトランスポートストリームをデコードする復号化手段と、
記録再生装置と互いにトランスポートストリーム及びコマンドをやり取りするためのインターフェース手段と、
サービスインフォメーションに含まれるトランスポートストリームの伝送レートを識別するための情報により、取得するトランスポートストリームの伝送レートが第１の伝送レートであるか第２の伝送レートであるかを判断する手段と、
判断手段の判断結果から、記録再生装置に対して、転送するトランスポートストリームの伝送レートが第１の伝送レートであるか第２の伝送レートであるかに応じた記録レートの設定コマンドを発生させる手段と
を備える情報処理装置と、
インターフェース手段を介して接続され、第１の伝送レートによって伝送されるトランスポートストリームを記録できる第１の記録レート又は第２の伝送レートよって伝送されるトランスポートストリームを記録できる第２の記録レートを設定できる記録再生装置と
からなり、
情報処理装置は、記録再生装置に対して記録コマンドを送信する前に、記録再生装置に対して記録レートの設定コマンドを送信し、
記録再生装置は、記録レートの設定コマンドにより記録レートが設定される
ようにした情報処理システムである。
【００２０】
この発明は、伝送レートを識別するための情報をサービスインフォメーションに含み、第１の伝送レートによって放送で伝送されるトランスポートストリーム及び伝送レートを識別するための情報をサービスインフォメーションに含み、第１の伝送レートより高い第２の伝送レートによって放送で伝送されるトランスポートストリームを取得し、デコードする情報処理装置と、
第１の伝送レートによって伝送されるトランスポートストリームを記録できる第１の記録レート又は第２の伝送レートよって伝送されるトランスポートストリームを記録できる第２の記録レートを設定できる記録再生装置と
を互いにトランスポートストリーム及びコマンドをやり取りするためのインターフェース手段を介して接続し、
情報処理装置は、サービスインフォメーションに含まれるトランスポートストリームの伝送レートを識別するための情報により、取得するトランスポートストリームの伝送レートが第１の伝送レートであるか第２の伝送レートであるかを判断し、
判断結果から、記録再生装置に対して、転送するトランスポートストリームの伝送レートが第１の伝送レートであるか第２の伝送レートであるかに応じた記録レートの設定コマンドを発生させ、
記録再生装置に対して記録コマンドを送信する前に、記録再生装置に対して記録レートの設定コマンドを送信し、記録レートの設定コマンドにより記録再生装置の記録レートを設定する
ようにした情報処理方法である。
【００２１】
映像データ及びオーディオデータがトランスポートストリームで送られるディジタル放送を受信し、ディジタル放送をデコードするディジタル放送の受信装置と、ディジタル放送の受信装置からのトランスポートストリームを記録するディジタル記録装置とをインターフェース手段を介して接続するようにしてシステムを構築する。受信装置は、受信するディジタル放送のトランスポートストリームの伝送レートに対応する情報を判断し、伝送レートに対応する情報に基づいて、記録再生装置に対してインターフェースを介して記録レートの設定コマンドを発生する。受信装置がストリームを送信する直前に、チャンネルが切り換えられるときに、番組が切り換えられるときに、或いは、所定周期毎に、記録レートの設定コマンドを記録／再生装置に送ることで、記録／再生装置で記録が開始されるときには、必ず、最適な記録レートに設定しておく。
【００２２】
【発明の実施の形態】
以下、この発明の実施の形態について図面を参照して説明する。図１において、１はＩＲＤ、２はディジタルビデオカセット記録／再生装置、３はテレビジョン受像器である。これらＩＲＤ１、ディジタルビデオカセット記録／再生装置２、テレビジョン受像機３によりディジタル衛星放送の受信及び記録／再生システムが構築される。ＩＲＤ１及びディジタル衛星放送の受信及び記録／再生装置２は、ＩＥＥＥ１３９４のディジタルインターフェースを備えており、ＩＲＤ１とディジタルビデオカセット記録／再生装置２とは、ＩＥＥＥ１３９４のディジタルインターフェースのケーブル８を介して接続されている。
【００２３】
ＩＲＤ１は、ディジタル衛星放送の受信信号をデコードし、ビデオ信号及びオーディオ信号を形成するものである。ビデオ信号の方式としては、アスペクト比が４：３で、走査線数が５２５本のＮＴＳＣ方式に基づく方式（ＳＤＴＶ方式）と、アスペクト比が１６：９で、走査線数が１１２５本の高品位テレビジョンに基づく方式（ＨＤＴＶ方式）とがある。
【００２４】
なお、ディジタル衛星放送では、１つの搬送波で複数のプログラムが多重化されて送られてくる。１つの搬送波でいくつのプログラムを多重化できるかは、ディジタル衛星放送で使用される衛星のトランスポンダの帯域と、伝送するプログラムの帯域とにより決まってくる。伝送帯域の狭いＳＤＴＶ方式のビデオ信号の場合には、１つの搬送波で多数チャンネル分のプログラムを送ることができる。ＨＤＴＶ方式の場合には、伝送帯域が広くなるので、１つの搬送波で送れるチャンネル数は少なくなる。また、１つの搬送波で、ＳＤＴＶのストリームとＨＤＴＶのストリームとが送られる場合もある。
【００２５】
ＩＲＤ１のアンテナ端子は、ケーブル６を介して、低雑音コンバータ５に接続される。衛星からの電波は、例えば、１２ＧＨｚ帯で送信されている。この衛星からの電波は、パラボラアンテナ４に取り付けられた低雑音コンバータ５で、例えば、１ＧＨｚ帯の信号に変換される。
【００２６】
低雑音コンバータ５の出力がケーブル６を介してＩＲＤ１のアンテナ端子に供給される。ＩＲＤ１で、受信信号の中から所望の搬送波の信号が選択され、ＭＰＥＧ２のトランスポートストリームが復調される。このトランスポートストリームの中から、所望のプログラムの映像パケット及び音声パケットが抽出され、この映像パケット及び音声パケットのデコード処理が行なわれ、ビデオ信号及びオーディオ信号がデコードされる。
【００２７】
ＩＲＤ１のビデオ出力端子及びオーディオ出力端子は、ケーブル７を介して、テレビジョン受像機３のビデオ入力端子及びオーディオ入力端子に接続される。ＩＲＤ１でデコードされたビデオ信号及びオーディオ信号は、テレビジョン受像機３のビデオ入力端子及びオーディオ入力端子に供給され、テレビジョン受像機３には、所望のプログラムの受信画面が映出されると共に、その音声が出力される。
【００２８】
ディジタルビデオカセット記録／再生装置２は、同一のテープカセットでディジタル記録とアナログ記録が行なえる。ＩＲＤ１とディジタルビデオカセット記録／再生装置２とは、ＩＥＥＥ１３９４のディジタルインターフェースのケーブル８を介して接続される。
【００２９】
また、ディジタルビデオカセット記録／再生装置２のビデオ出力端子及びオーディオ出力端子は、ケーブル９を介して、テレビジョン受像機３のビデオ入力端子及びオーディオ入力端子に接続される。ディジタルビデオカセット記録／再生装置２のアンテナ端子は、ケーブル１０を介して、地上波アンテナ１１に接続される。
【００３０】
このシステムでは、ＩＲＤ１で受信したディジタル衛星放送の受信出力に基づくＭＰＥＧ２のトランスポートストリームを、ディジタルビデオカセット記録／再生装置２で記録／再生させることが可能である。
【００３１】
ＩＲＤ１で受信したディジタル衛星放送の受信出力に基づくＭＰＥＧ２のトランスポートストリームを、ディジタルビデオカセット記録／再生装置２に装着されたテープカセットに記録させる場合には、ＩＲＤ１から、所望のプログラムのＭＰＥＧ２のトランスポートストリームが出力される。そして、ＩＲＤ１からのトランスポートストリームがＩＥＥＥ１３９４のケーブル８を介してディジタルビデオカセット記録／再生装置２に供給され、このＭＰＥＧ２のトランスポートストリームがディジタルビデオカセット記録／再生装置２に装着されたテープカセットに記録される。
【００３２】
また、ディジタルビデオカセット記録／再生装置２は、地上波放送の信号をアナログ処理して、装着されたテープカセットにアナログ記録させることができる。地上波放送の信号をアナログ処理してテープカセットに記録する場合には、アンテナ１１で地上波放送の信号が受信され、この受信信号がディジタルビデオカセット記録／再生装置２内の地上波チューナ回路に供給される。この地上波チューナで、所望のチャンネルの信号が選択され、受信信号から、アナログビデオ信号とオーディオ信号が復調される。このアナログビデオ信号及びオーディオ信号は、ディジタルビデオカセット記録／再生装置２に装着されたテープカセットにアナログ記録される。
【００３３】
ビデオ信号及びオーディオ信号がアナログ記録されたビデオカセットの再生を行なう場合には、このビデオカセットがディジタルビデオカセット記録／再生装置２に装着されて再生される。ディジタルビデオカセット記録／再生装置２で、この再生信号がケーブル９を介してテレビジョン受像機３に送られ、テレビジョン受像機３に、テープカセットから再生されたアナログ信号に基づく受信画面が映出されると共に、その音声が出力される。同様に、ディジタルビデオカセット記録／再生装置２は、８ミリＶＴＲなどのアナログ機器からのアナログビデオ信号やアナログオーディオ信号を入力し、装着されたテープカセットにアナログ記録することもできる。
【００３４】
また、ディジタルビデオカセット記録／再生装置２は、地上波の信号をディジタル処理して、装着されたテープカセットに記録させることができる。
【００３５】
アナログ地上波放送の信号をディジタル処理してテープカセットに記録する場合には、アンテナ１１で地上波放送の信号が受信され、この受信信号がディジタルビデオカセット記録／再生装置２内の地上波チューナ回路に供給される。この地上波チューナ回路で、所望のチャンネルの信号が選択され、受信信号からアナログビデオ信号とオーディオ信号が復調される。このアナログビデオ信号及びオーディオ信号は、ＭＰＥＧ２のフォーマットにしたがって圧縮符号化され、ディジタルビデオカセット記録／再生装置２に装着されたテープカセットにディジタル記録される。
【００３６】
アナログ地上波放送のビデオ信号及びオーディオ信号がディジタル記録されたビデオカセットの再生を行なう場合には、このビデオカセットがディジタルビデオカセット記録／再生装置２に装着されて再生される。ディジタルビデオカセット記録／再生装置２で、この再生信号がディジタル出力される場合には、ＩＥＥＥ１３９４インターフェースのケーブル８を介して、ＩＲＤ１に出力され、再生される。また、この再生信号がアナログ出力される場合には、ＭＰＥＧフォーマットにしたがって圧縮復号化され、アナログ出力され、ケーブル７を介してテレビジョン受像機３に送られ、テレビジョン受像機３に、テープカセットから再生されたアナログ信号に基づく受信画面が映出されると共に、その音声が出力される。同様に、ディジタルビデオカセット記録／再生装置２は、８ミリＶＴＲなどのアナログ機器から入力されたアナログビデオ信号とアナログオーディオ信号をディジタル処理して、装着されたテープカセットにディジタル記録することもできる。
【００３７】
図２は、ＩＲＤ１の構成を示すものである。図１に示したように、例えば、１２ＧＨｚ帯の電波で衛星を介して送られてくるディジタル衛星放送の電波は、パラボラアンテナ４で受信され、パラボラアンテナ４に取り付けられた低雑音コンバータ５で、１ＧＨｚ帯の信号に変換される。この低雑音コンバータ５の出力がケーブル６を介してＩＲＤ１のチューナ回路１０１に供給される。
【００３８】
チューナ回路１０１は、制御用のＣＰＵ（Central Processing Unit ）１１１からの制御信号に基づいて、受信信号の中から所定の搬送波周波数の信号を選択する。選択された搬送波周波数の信号は、復調回路１０２に供給される。復調回路１０２では、例えば、ＱＰＳＫ（Quadrature Phase Shift Keying ）復調処理が行なわれる。復調された信号は、エラー訂正処理回路１０３に供給される。エラー訂正処理回路１０３では、リードソロモン符号やビタビ復号を使って、エラー訂正処理を行なう。
【００３９】
エラー訂正回路１０３の出力は、デスクランブラ１０４に供給される。デスクランブラ１０４には、受信された契約情報が入力されると共に、ＩＣカードスロット１１２に装着されているＩＣカード１１３に記憶されているデスクランブル用の鍵のデータが供給される。デスクランブラ１０４は、この受信された契約情報と、ＩＣカード１１３の鍵データを用いて、ＭＰＥＧトランスポートストリームのデスクランブルを行なう。デスクランブルされたＭＰＥＧ２のトランスポートストリームは、デマルチプレクサ１０５に送られる。
【００４０】
デマルチプレクサ１０５は、ＣＰＵ１１１からの指令に基づいて、デスクランブラ１０４からのストリームの中から、所望のパケットを分離するものである。伝送パケットには、ヘッダ部にパケット識別子（ＰＩＤ）が設けられている。デマルチプレクサ１０５で、このＰＩＤに基づいて、所望のプログラムの映像パケット及び音声パケットが抽出される。この所望のプログラムの映像パケットは、ＭＰＥＧ２ビデオデコーダ１０６に送られ、音声パケットは、ＭＰＥＧオーディオデコーダ１０８に送られる。
【００４１】
ＭＰＥＧ２ビデオデコーダ１０６は、デマルチプレクサ１０５からの映像信号のパケットを受け取り、ＭＰＥＧ２方式のデコード処理を行なって、ビデオデータを形成する。このビデオデータは、フォーマットコンバータ１０７に供給される。フォーマットコンバータ１０７では、ＭＰＥＧビデオデコーダから出力されるディジタルビデオ信号を、ＳＤＴＶ方式のビデオ信号又はＨＤＴＶ方式のビデオ信号に変換する。
【００４２】
フォーマットコンバータ１０７の出力がアナログビデオ信号端子（図示せず）を介して、テレビジョン受像機３に供給される。
【００４３】
ＭＰＥＧオーディオデコーダ１０８は、デマルチプレクサ１０５からの音声パケットを受け取り、ＭＰＥＧ方式の音声デコード処理を行なって、データ圧縮前のオーディオデータを形成する。デコードされたオーディオデータは、Ｄ／Ａコンバータ１０９でアナログオーディオ信号に変換された後、アナログオーディオ出力端子（図示せず）を介して、テレビジョン受像機３に供給される。
【００４４】
更に、デマルチプレクサ１０５で、限定受信に必要な情報や、ＥＰＧ（Electric Program Guide）等のサービスに必要なＳＩ（Service Information ）が抽出される。これらの情報は、ＣＰＵ１１に送られる。
【００４５】
ＩＲＤ１に対する操作指示は、リモートコントローラ１１５によって行なわれ、リモートコントローラ１１５からのリモコン信号は受光部１１４で受信され、ＣＰＵ１１１に供給される。また、モデム１１７が設けられ、モデム１１７により、課金情報が電話回線を介して、放送局又は課金センタに送られる。
【００４６】
受信信号の搬送波周波数の設定は、視聴者が入力したチャンネル設定信号に基づいて行なわれる。所望のプログラムを設定するときには、ＮＩＴ（Network Information Table）を参照することにより、チューナ１０１の受信信号が所定の搬送波周波数に設定される。そして、その搬送波周波数でのチャンネルに関する情報であるＰＡＴ（Program Association Table ）を参照して、所望のチャンネルに関する情報であるＰＭＴ（Program Map Table ）のＰＩＤのパケットが抽出される。このＰＭＴを参照することにより、所望のチャンネルの映像、音声、付加データのパケットのＰＩＤが得られる。
【００４７】
また、ＩＲＤ１には、ＩＥＥＥ１３９４のディジタルインターフェース１１０が設けられている。デマルチプレクサ１０５とＩＥＥＥ１３９４のインターフェース１１０との間は、トランスポートストリームを入／出力することができる。
【００４８】
ディジタルビデオカセット記録／再生装置２で、ディジタル記録を行なうような場合には、所望のプログラムの映像パケット及び音声パケットからなるＭＰＥＧ２のトランスポートストリームは、デマルチプレクサ１０５から、ＩＥＥＥ１３９４のディジタルインターフェース１１０を介して、ディジタルビデオカセット記録／再生装置２に向けて送られる。
【００４９】
また、ディジタルビデオカセット記録／再生装置２で再生されたＭＰＥＧ２のトランスポートストリームをデコードするような場合には、ディジタルビデオカセット記録／再生装置２からのＭＰＥＧ２のトランスポートストリームは、ＩＥＥＥ１３９４のディジタルインターフェース１１０を介して入力され、デマルチプレクサ１０５に送られる。デマルチプレクサ１０５で、このＭＰＥＧ２のトランスポートストリームから、映像パケットと音声パケットとが分離される。映像パケットは、ＭＰＥＧ２ビデオデコーダ１０６に送られてデコードされる。音声パケットは、ＭＰＥＧオーディオデコーダ１０８に送られてデコードされる。
【００５０】
ＩＥＥＥ１３９４は、アイソクロナス伝送モードと、アシンクロナス伝送モードとがサポートされている。アイソクロナス伝送モードを使うと、ＭＰＥＧ２のストリームのようなデータを高速で伝送するのに好適である。また、アシンクロナスモードでは、コマンドを伝送するのに好適である。
【００５１】
後に説明するように、この発明が適用されたＩＲＤ１では、ＩＥＥＥ１３９４１３９４のディジタルインターフェース１１０を介して、記録レート指定コマンドを送信することができる。記録レート指定コマンドは、ＩＥＥＥ１３９４を介して接続されている機器に対して、記録レートを設定させるためのコマンドである。
【００５２】
図３は、ディジタルビデオカセット記録／再生装置２の構成を示すものである。このディジタルビデオカセット記録／再生装置２は、前述したように、ディジタル記録／再生と、アナログ記録／再生とが行なわれる。ディジタル記録／再生を行なうために、ディジタル記録処理回路２１３とディジタル再生処理回路２１８が設けられる。アナログ記録／再生処理を行なうために、アナログ記録処理回路２０４とアナログ再生処理回路２０８が設けられる。
【００５３】
全体の制御は、ＣＰＵ２２４により行なわれる。ディジタルビデオカセット記録／再生装置２に対する操作指示は、リモートコントローラ２２７によって行なわれ、リモートコントローラ２２７からのリモコン信号は、受光部２２６で受信され、ＣＰＵ２２４に供給される。ＣＰＵ２２４には不揮発性メモリ２２５が接続されている。
【００５４】
ＩＲＤ１からのトランスポートストリームを記録する場合には、ＩＥＥＥ１３９４のディジタルインターフェース２２３を介して、ＩＲＤ１からＭＰＥＧ２のトランスポートストリームが入力される。このＭＰＥＧ２のトランスポートストリームは、スイッチ回路２１２を介して、ディジタル記録処理回路２１３に供給される。ディジタル記録処理回路２１３で、このトランスポードストリームのデータに対してエラー訂正符号化処理及び記録変調処理が行なわれる。ディジタル記録処理回路２１３の出力がヘッド２１４に供給される。これにより、ディジタルビデオカセット記録／再生装置２に装着されたテープカセットのテープ２０６に、ＩＲＤ１からのトランスポートストリームが記録される。
【００５５】
ＭＰＥＧ２のトランスポートストリームが記録されているテープカセットを再生する場合には、テープ２０６の再生信号がヘッド２１７で再生され、ヘッド２１７の出力がディジタル再生処理回路２１８に供給される。ディジタル再生処理回路２１８で、復調処理及びエラー訂正処理が行なわれる。ディジタル再生処理回路２１８の出力は、スイッチ回路２２０を介して、ＩＥＥＥ１３９４のディジタルインターフェース２２３に供給され、再生されたトランスポートストリームがＩＲＤ１に供給される。
【００５６】
ディジタルビデオカセット記録／再生装置２には、モード切り換え回路２３０が設けられる。このモード切り換え回路２３０により、記録モードがＳＴＤモードとＨＳモードとが設定できる。ＳＴＤモードでは、例えば、１４．１Ｍｂｐｓのレートで、データが記録／再生できる。これは、８Ｍｂｐｓの伝送レートのＳＤＴＶのストリームを記録／再生するのに好適である。ＨＳモードでは、例えば、２８．２Ｍｂｐｓで、データが記録／再生される。これは、２４Ｍｂｐｓの伝送レートのＳＤＴＶのストリームを記録／再生するのに好適である。
【００５７】
地上波をアナログ記録する場合には、アンテナ１１で受信された信号が地上波チューナ２０１に供給される。地上波チューナ２０１で、所望の放送の受信信号が選択され、この受信信号から例えばＮＴＳＣ方式のアナログのビデオ信号及びオーディオ信号が復調される。このアナログビデオ信号及びアナログオーディオ信号がスイッチ回路２０２、２０３を介してアナログ記録処理回路２０４に供給される。アナログ記録処理回路２０４で、ビデオ信号及びオーディオ信号の記録処理が行われる。すなわち、輝度信号はＦＭ変調され、クロマ信号は低域周波数に変換され、オーディオ信号はＦＭ変調される。これらの信号が多重化され、この信号がヘッド２０５に供給される。ヘッド２０５により、装着されたテープカッセットのテープ２０６に、アナログのビデオ信号及びオーディオ信号が記録される。
【００５８】
さらに、外部に接続されたアナログ機器（例えば８ミリＶＴＲ）から供給されたアナログビデオ信号及びアナログオーディオ信号をアナログ記録することもできる。アナログ外部入力端子２１５から供給されたアナログビデオ信号及びアナログオーディオ信号はスイッチ回路２０３を介してアナログ記録処理回路２０４に供給される。アナログ記録処理回路２０４で、ビデオ及びオーディオ信号の記録処理が行なわれる。その後の処理は上述の地上波放送をアナログ記録する場合と同じである。
【００５９】
アナログ記録されたテープカセットを再生する場合には、テープ２０６の信号がヘッド２０７により再生され、アナログ再生処理回路２０８に供給される。アナログ再生処理回路２０８で、ビデオ信号及びオーディオ信号の再生処理が行なわれる。すなわち、再生信号から、ＦＭ変調輝度信号と、低域変換クロマ信号と、ＦＭ変調オーディオ信号とが抽出される。ＦＭ変調輝度信号に対して、ＦＭ変調処理が行われて輝度信号が復調され、低域変換クロマ信号が３．５８ＭＨｚの搬送波周波数のクロマ信号に戻される。この輝度信号とクロマ信号とからビデオ信号が形成される。また、ＦＭ変調オーディオ信号に対してＦＭ復調処理が行なわれ、オーディオ信号が復調される。このビデオ信号及びオーディオ信号は、アナログ出力端子２１０から出力される。
【００６０】
ディジタルビデオカセット記録／再生装置２では、地上波放送の信号及び外部に接続されたアナログ機器から供給されたアナログビデオ信号及びアナログオーディオ信号をディジタル記録することもできる。地上波放送の信号をディジタル記録する場合には、地上波チューナ２０１の出力がスイッチ回路２０２を介してＡ／Ｄコンバータ２１６に供給され、ディジタルビデオ信号及びディジタルオーディオ信号に変換された後、ＭＰＥＧエンコーダ２１１に供給される。ＭＰＥＧエンコーダ２１１は、ＭＰＥＧ２のフォーマットにしたがって、ディジタルビデオ信号及びディジタルオーディオ信号の圧縮符号化処理を行なう。圧縮符号化されたディジタルビデオ信号及びディジタルオーディオ信号はスイッチ回路２１２を介してディジタル信号処理回路２１３に供給される。ディジタル信号処理回路２１３では、エラー訂正処理及び記録変調処理が行われ、ヘッド２１４に供給される。これにより、ディジタルビデオカセット記録／再生装置２に装着されたテープカセットのテープ２０６に、地上波放送の信号がディジタル記録される。
【００６１】
外部に接続されたアナログ機器から供給された信号をディジタル記録する場合には、アナログ外部入力端子２１５から供給されたアナログビデオ信号及びアナログオーディオ信号は、Ａ／Ｄコンバータ２１６に供給されてディジタルビデオ信号及びディジタルオーディオ信号に変換された後、ＭＰＥＧエンコーダ２１１に供給される。その後の記録処理は、上述の地上波放送の信号のディジタル記録処理と同じである。
【００６２】
このようにしてディジタル記録された地上波放送の信号及び外部に接続されたアナログ機器から供給された信号を再生する場合には、テープ２０６の再生信号がヘッド２１７で再生され、ヘッド２１７の出力がディジタル再生処理回路２１８に供給される。ディジタル再生処理回路２１８で復調処理及びエラー訂正処理が行なわれる。ディジタル再生処理回路２１８の出力がスイッチ回路２２０を介してＭＰＥＧデコーダ２２１に供給される。ＭＰＥＧデコーダ２２１で、圧縮符号化されたディジタルビデオ信号及びディジタルオーディオ信号の圧縮伸長処理が行なわれる。デコードされたディジタルビデオ信号及びオーディオ信号は、Ｄ／Ａコンバータ２２２に供給され、アナログビデオ信号及びアナログオーディオ信号に変換され、スイッチ回２０９を介してアナログ出力端子２１０から出力される。
【００６３】
上述のように、この発明が適用されたシステムでは、ＩＲＤ１からディジタルビデオカセット記録／再生装置２にＩＥＥＥ１３９４のインターフェースを介してトランスポートストリームを送り、ＩＲＤ１で受信した放送のトランスポートストリームをディジタルビデオカセット記録／再生装置２で直接記録することができる。そして、この発明が適用されたシステムでは、ＩＲＤ１からディジタルビデオカセット記録／再生装置２に、記録レート指定コマンドを送り、このコマンドにより、ディジタルビデオカセット記録／再生装置の記録モードを設定することができる。
【００６４】
図１のシステムでは、ＩＲＤ１には、ＩＥＥＥ１３９４のディジタルインターフェースのケーブル８を介して、ディジタルビデオカセット記録／再生装置２が接続されており、ＩＲＤ１からディジタルビデオカセット記録／再生装置２に、「ＳＴＤモード」又は「ＨＳモード」の記録レート指定コマンドが送られる。「ＳＴＤモード」の記録コマンドが送られてくると、ディジタルビデオカセット記録／再生装置は、１４．１Ｍｂｐｓの記録レートのＳＴＤモードに設定され、「ＨＳモード」の記録コマンドが送られてくると、２８．２Ｍｂｐｓの記録レートのＨＳモードに設定される。
【００６５】
なお、ＩＲＤ１に接続されている記録／再生装置によっては、記録レート指定コマンドで要求される記録レートに設定できない場合がある。ＩＲＤ１から記録レート設定コマンドが送られてきたが、その要求に応じた記録レートに設定できないときには、その機器は、記録レートに設定できない旨のレスポンスを返し、ＩＲＤ１は、このレスポンスに応じて、例えば警告を表示させるようにしても良い。
【００６６】
ディジタルビデオカセット記録／再生装置２でＩＲＤ１からのトランスポートストリームを記録する場合には、ＩＲＤ１からディジタルビデオカセット記録／再生装置２に、トランスポートストリームが送られる。このトランスポートストリームには、ＨＤＴＶのトランスポートストリームの場合とＳＤＴＶのトランスポートストリームの場合とがある。ディジタルビデオカセット記録／再生装置２は、ＨＤＴＶのトランスポートストリームを記録する場合にはＨＳモードに設定し、ＳＤＴＶのトランスポートストリームを記録する場合には、ＳＴＤモードに設定する必要がある。
【００６７】
そこで、この発明の実施の形態では、ＩＲＤ１からＩＥＥＥ１３９４を介して送られるトランスポートストリームの伝送レートが変更される可能性があるときに、伝送レートが変更される前に、ＩＲＤ１からディジタルビデオカセット記録／再生装置２に、記録レート指定コマンドを送信するようにしている。
【００６８】
つまり、先ず、ＩＲＤ１とディジタルビデオカセット記録／再生装置２とをＩＥＥＥ１３９４のインターフェースのケーブル８を介して接続したときには、ＩＲＤ１からディジタルビデオカセット記録／再生装置２に、記録レート指定コマンドを送信しておく。
【００６９】
また、これからＩＲＤ１からディジタルビデオカセット記録／再生装置２にトランスポートストリームを送る場合には、記録が開始される前に、ＩＲＤ１から記録レート設定コマンドを送信しておく。
【００７０】
また、ディジタル衛星放送のサービスでは、ニュースチャンネルのように、ＳＤＴＶの画面で送信するチャンネルと、映画チャンネルのように、ＨＤＴＶの画面で送信するチャンネルとが分かれることが想定される。したがって、チャンネルが切り換えられるときには、ＩＲＤ１から記録レート設定コマンドを送信して、ディジタルビデオカセット記録／再生装置２の記録モードを正しく設定しておく。
【００７１】
また、同一チャンネル内でも、例えば、映画を放送するときにはＨＤＴＶ、ニュースのときにはＳＤＴＶのように、番組毎に、ＳＤＴＶのストリームとＨＤＴＶのストリームとが切り換えられることが想定される。したがって、番組が変わるときには、ＩＲＤ１から記録レート設定コマンドを送信して、ディジタルビデオカセット記録／再生装置２の記録モードを正しく設定しておく。
【００７２】
図４及び図５は、上述のように、ＩＲＤ１からＩＥＥＥ１３９４のインターフェースを介して送られるトランスポートストリームの伝送レートが変更される可能性があるときに、伝送レートが変更される前に、記録レート指定コマンドを送るような処理を示すフローチャートである。
【００７３】
図４は、機器接続時の処理を示すものである。図４において、ＩＲＤ１は、ディジタルビデオカセット記録／再生装置２がＩＥＥＥ１３９４のインターフェースを介して接続されたか否かを判断している（ステップＳ１）。ＩＲＤ１にディジタルビデオカセット記録／再生装置２が接続されたと判断されたら、ＩＲＤ１からディジタルビデオカセット記録／再生装置２に、転送するストリームに応じた記録レート指定コマンドが送信される（ステップＳ２）。
【００７４】
以上のような処理により、ＩＲＤ１とディジタルビデオカセット記録／再生装置２とをＩＥＥＥ１３９４のインターフェースのケーブル８を介して接続したときには、ＩＲＤ１からディジタルビデオカセット記録／再生装置２に、記録レート指定コマンドが送信されるようになる。
【００７５】
図５は、機器が接続された後のデータ転送時の処理を示すものである。図５において、ＩＲＤ１からディジタルビデオカセット記録／再生装置２へのトランスポートストリームの転送要求があるか否かが判断される（ステップＳ１１）。転送要求がある場合には、ストリームを転送する直前に、ＩＲＤ１からディジタルビデオカセット記録／再生装置２に、記録レート指定コマンドが送信される（ステップＳ１２）。そして、記録レート指定コマンドが送信されてから、ＩＲＤ１からディジタルビデオカセット記録／再生装置２にトランスポートストリームが転送される（ステップＳ１３）。
【００７６】
ＩＲＤ１からディジタルビデオカセット記録／再生装置２にトランスポートストリームが転送される間に、ユーザにより受信チャンネルが切り換えられたか否かが判断される（ステップＳ１４）。受信チャンネルが切り換えられたと判断されたら、切り換え後のチャンネルのストリームの伝送レートに応じた記録レート指定コマンドがＩＲＤ１からディジタルビデオカセット記録／再生装置２に送信され（ステップＳ１５）、ステップＳ１３にリターンされる。
【００７７】
ステップＳ１４で、受信チャンネルが切り換えられていないと判断されたときには、番組が切り替わったか否かが判断される（ステップＳ１６）。番組が切り替わったと判断されたら、切り換え後の番組のストリームの伝送レートに応じた記録レート指定コマンドがディジタルビデオカセット記録／再生装置２に送信され（ステップＳ１７）、ステップＳ１３にリターンされる。
【００７８】
以上のような処理により、ＩＲＤ１からディジタルビデオカセット記録／再生装置２にトランスポートストリームを送る場合に、記録が開始される直前に、ＩＲＤ１からディジタルビデオカセット記録／再生装置２に設定コマンドが送信され、また、チャンネルが切り換えられるときには、ＩＲＤ１からディジタルビデオカセット記録／再生装置２に、記録レート設定コマンドが送信され、更に、番組が変わるときに、ＩＲＤ１からディジタルビデオカセット記録／再生装置２に、記録レート設定コマンドが送信されるようになる。
【００７９】
なお、ＩＲＤ１からディジタルビデオカセット記録／再生装置２に送られる記録レート設定コマンドは、現在、ＩＲＤ１が受信している又はこれから受信する放送がＳＤＴＶかＨＤＴＶかに応じて発生される。受信チャンネルのストリームがＳＤＴＶのストリームかＨＤＴＶのストリームかは、ＰＭＴのテーブルから判断できる。
【００８０】
つまり、ディジタル衛星放送のトランスポートストリームには、ＳＩ（Service Information ）と呼ばれる情報が含められる。ＳＩには、ＰＭＴ（Program Map Table ）のテーブルがあり、このＰＭＴのテーブルには、図６に示すように、コンポーネント記述子で、各チャンネルの内容を示す情報が含められる。
【００８１】
図６において、stream＿content （コンポーネント内容）は、４ビットのフィールドで、このフィールドは、ストリームの種別（映像、音声、データ）を意味し、図７に示す表に従って、符号化される。component ＿type（コンポーネント種別）は、８ビットのフィールドで、このフィールドでは、映像、音声、データといったコンポーネントの種別が図７に示す表に従って、符号化される。component ＿tag は、８ビットのフィールドで、このタグは、コンポーネントストリームを識別するためのラベルである。ISO ＿639 ＿language＿code（言語コード）は、２４ビットのフィールドであり、この言語コードは、コンポーネント（音声、或いはデータ）の言語、及びこの記述子に含まれる文字記述の言語を識別する。
【００８２】
図７に示すコンポーネント内容とコンポーネント識別の記述から、受信している映像がＳＤＴＶかＨＤＴＶかが判断できる。すなわち、コンポーネント内容が「0x01」であり、コンポーネント種別が「0x01」なら、ＳＤＴＶ（走査線数５２５本、アスペクト比４：３）で番組が放送されており、コンポーネント内容が「0x01」であり、コンポーネント種別が「0xB2」なら、ＨＤＴＶ（走査線数１１２５本、アスペクト比１６：９）で番組が放送されている。
【００８３】
また、放送されている番組が切り替わるか否かの判断は、ＥＩＴ（Event Information Table ）のから判断できる。このＥＩＴのテーブルには、番組名、番組開始時刻等が記述されている。また、このＥＩＴを使うことで、これから受信する番組がＨＤＴＶであるかＳＤＴＶであるかを判断することができる。
【００８４】
なお、番組や付加情報の送り方は、上述のようなＰＭＴやＥＩＴを送る放送の他に、種々のものが提案されている。受信している番組やこれから切り換えられる番組のストリームの伝送レートの判断は、上述のようなＰＭＴやＥＩＴを用いるものに限定されるものではなく、各放送毎に、番組や付加情報の送り方を考慮して、適宜、決められる。
【００８５】
また、記録レート指定コマンドについては、「ＳＴＤモード」や「ＨＳモード」のように、記録モードそのものを表すコマンドとせずに、必要な記録レートの値をコマンドに含めることが考えられる。例えば、ＳＤＴＶのトランスポートストリームなら、「８Ｍｂｐｓ以上のモードに設定」、ＨＤＴＶのトランスポートストリームなら、「２４Ｍｂｐｓ以上のモードに設定」のようにしても良い。必要な記録レートの値そのものをコマンドに含められているなら、このＩＲＤ１に接続されている機器側では、この記録レート以上の記録レートのモードに設定すれば良いことになる。
【００８６】
上述の実施の形態では、ＩＲＤ１からＩＥＥＥ１３９４のインターフェースを介して出力されるＭＰＥＧ２のビットストリームの伝送レートが変更される可能性があるとき、具体的には、ＩＲＤ１とディジタルビデオカセット記録／再生装置２とを装着したとき、ストリームを送る直前、チャンネルが切り換えられたとき、番組が変わったときに、記録レート指定コマンドを送るようにしているが、これらを全て用いずに、これらを組み合わせて使用しても良い。
【００８７】
また、所定時間（例えば、１秒毎）毎に、必ず、ＩＲＤ１から記録レート指定コマンドを送るようにしても良い。所定時間毎に、絶えず、記録レート指定コマンドを送ってくれば、記録が開始される前には、必ず、ＩＲＤ１からのストリームの伝送レートに応じた適切な記録モードに設定されることになる。
【００８８】
すなわち、図８に示すように、所定時間経過したか否かが判断され（ステップＳ２１）、所定時間経過したと判断されたら、ＩＲＤ１からディジタルビデオカセット記録／再生装置２に、記録レート指定コマンドが送られる（ステップＳ２２）。
【００８９】
更に、記録モードを問い合わせるためのコマンドを用意し、ＩＲＤ１側では、この記録モード問い合わせコマンドを受信したら、記録レート指定コマンドを送信するようにしても良い。このようにすると、ディジタルビデオカセット記録／再生装置２では、記録の直前に、ストリームの伝送レートを確認してから、記録レートを設定することができる。
【００９０】
すなわち、図９Ａに示すように、ディジタルビデオカセット記録／再生装置２側では、記録ボタンが押されたか否かが判断され（ステップＳ３１）、記録ボタンが押されたら、記録モード問い合わせコマンドが送信される（ステップＳ３２）。
【００９１】
ＩＲＤ１側では、図９Ｂに示すように、記録モード問い合わせコマンドを受信したか否かを判断しており（ステップＳ４１）、記録モード問い合わせコマンドが受信されたら、記録レート指定コマンドが送信される（ステップＳ４２）。
【００９２】
ディジタルビデオカセット記録／再生装置２側では、図９Ａに示すように、記録レート指定コマンドの受信を待機しており（ステップＳ３３）、ＩＲＤ１からの記録レート指定コマンドが受信されたら、その記録レート指定コマンドに応じて、記録レートが設定される（ステップＳ３４）。
【００９３】
以上の処理により、ＩＲＤ１からＩＥＥＥ１３９４のインターフェースを介して出力されるＭＰＥＧ２のストリームをディジタルビデオカセット記録／再生装置２で記録するときに、その直前で、ＩＲＤ１からディジタルビデオカセット記録／再生装置２に記録レート指定コマンドが送られることになり、ディジタルビデオカセット記録／再生装置２で記録を開始するときには、必ず、適切な記録モードに設定されるようになる。
【００９４】
上述の例のように、ディジタルビデオカセット記録／再生装置２で記録が開始される前に、ＩＲＤ１からディジタルビデオカセット記録／再生装置２に、記録レート指定コマンドが送られるようにすれば、受信しているストリームがＨＤＴＶの場合でもＳＤＴＶの場合でも、記録レートが適切に設定され、ディジタルビデオカセット記録／再生装置２でＩＲＤ１からのストリームを記録することができる。ところが、記録を行なっている最中に、伝送レートが変更されてしまう可能性がある。記録が開始される前にＩＲＤ１からディジタルビデオカセット記録／再生装置２に記録レート指定コマンドが送られるようにしただけでは、記録を行なっている最中に伝送レートが変更された場合に対処できない。
【００９５】
そこで、記録を行なっている最中にストリームの伝送レートが変わったような場合には、記録を一時停止して、記録モードを設定し直す処理を行なうようにしている。
【００９６】
図１０は、ディジタルビデオカセット記録／再生装置２でＩＲＤ１からのトランスポートストリームを記録中に、ストリームの伝送レートが変わったような場合の処理を示すものである。すなわち、例えば、複数の番組を連続記録しているような場合に、番組の変わり目で、ＳＤＴＶからＨＤＴＶに又はＨＤＴＶからＳＤＴＶに切り換えられたような場合の処理を示すものである。
【００９７】
図１０において、ＩＲＤ１では、ディジタルビデオカセット記録／再生装置２が記録中であるか否かが判断される（ステップＳ５１）。記録中のときには、受信している放送がＳＤＴＶからＨＤＴＶに又はＨＤＴＶからＳＤＴＶに切り換えられ、ストリームの伝送レートが変わったか否かが判断される（ステップＳ５２）。記録中にストリームの伝送レートが切り替わったときには、ＩＲＤ１からディジタルビデオカセット記録／再生装置２に、記録停止コマンドが発行される（ステップＳ５３）。
【００９８】
ディジタルビデオカセット記録／再生装置２は、この記録停止コマンドを受信すると、記録を停止し、確認コマンドをＩＲＤ１に返す。
【００９９】
ＩＲＤ１側では、確認コマンドが受信されたか否かが判断される（ステップＳ５４）。確認コマンドが受信されたら、記録レート指定コマンドが送信されてから（ステップＳ５５）、記録コマンドが送信される（ステップＳ５６）。
【０１００】
以上のような処理により、記録中に、受信している放送のストリームの伝送レートが切り換えられたら、記録が一時停止された後に、受信している放送のストリームに応じて記録モードが切り換えられ、それから、記録が再開されるようになる。したがって、記録中での受信放送の伝送レートの変化にも対応できる。
【０１０１】
【発明の効果】
この発明によれば、映像データ及びオーディオデータがトランスポートストリームで送られるディジタル放送を受信するディジタル放送の受信装置と、ディジタル放送の受信装置からのトランスポートストリームを記録するディジタル記録装置とがインターフェース手段を介して接続されてシステムが構築される。受信装置では、受信するディジタル放送のトランスポートストリームの伝送レートに対応する情報が判断され、伝送レートに対応する情報に基づいて、記録再生装置に対してインターフェースを介して記録レートの設定コマンドが送られる。受信装置には、ストリームを送信する直前に、チャンネルが切り換えられるときに、番組が切り換えられるときに、或いは、所定周期毎に、記録レートの設定コマンドを記録／再生装置に送られるので、記録／再生装置で記録が開始されるときには、必ず、最適な記録レートに設定される。
【図面の簡単な説明】
【図１】この発明が適用できるディジタル衛星放送システムの一例のブロック図である。
【図２】この発明が適用できるディジタル衛星放送システムにおけるＩＲＤの一例のブロック図である。
【図３】この発明が適用できるディジタル衛星放送システムにおけるディジタルビデオカセット記録／再生装置の一例のブロック図である。
【図４】この発明の実施の形態の説明に用いるフローチャートである。
【図５】この発明の実施の形態の説明に用いるフローチャートである。
【図６】コンポーネント記述子の説明に用いる略線図である。
【図７】コンポーネント内容及びコンポーネント種別の説明に用いる略線図である。
【図８】この発明の実施の形態の説明に用いるフローチャートである。
【図９】この発明の実施の形態の説明に用いるフローチャートである。
【図１０】この発明の実施の形態の説明に用いるフローチャートである。
【符号の説明】
１・・・ＩＲＤ、２・・・ディジタルビデオカセット記録／再生装置、３・・・テレビジョン、８・・・ＩＥＥＥ１３９４のディジタルインターフェース
【図１】
0004501187.tif 000002
【図２】
0004501187.tif 000003
【図３】
0004501187.tif 000004
【図４】
0004501187.tif 000005
【図５】
0004501187.tif 000006
【図６】
0004501187.tif 000007
【図７】
0004501187.tif 000008
【図８】
0004501187.tif 000009
【図９】
0004501187.tif 000010
【図１０】
0004501187.tif 000011